(57)【特許請求の範囲】
【請求項１】
開口部或いは出入口の路面に形成したピットに設置され、水が流入する際、前記開口部或いは前記出入口を遮断すべく、前記流入する水の方向に高さ方向の平面内で、基端側を支点として先端側が起立揺動する扉体と、
前記支点よりも前記流入する水の下流側の所要の位置に、前記扉体を越流した水を取り込む開口を有した排水溝と、を備えた浮体式フラップゲートであって、
前記排水溝は、
前記排水溝に取り込んだ水を前記ピットへ導水可能なように、前記ピットと通路により連通していると共に、
前記排水溝から水が逆流して後背地へ浸入するのを防止すべく、前記排水溝の開口を、該開口の近傍に設けた張出部の位置で密閉する止水蓋を備えたことを特徴とする浮体式フラップゲート。
【発明の詳細な説明】
【技術分野】
【０００１】
本発明は、例えば防波堤の開口部や建物の出入口に設置され、増水時、増水した水が生活空間や地下空間に流れ込まないように、扉体を浮上させて前記開口部又は出入口を遮断する浮体式フラップゲートに関するものである。
【背景技術】
【０００２】
増水時に、増水した水が生活空間や地下空間に流れ込まないように、流入しようとする水の浮力を利用して凹状のピット内に埋設された扉体を浮上させ、例えば建物の出入口を遮断する浮体式フラップゲートがある（例えば特許文献１の実施の形態−２）。
【０００３】
しかしながら、特許文献１で開示された浮体式フラップゲートは、流入初期に床面を流れてくる水の移動速度が速い場合には、扉体の浮上動作が遅れて生活空間や地下空間に越流する問題がある。
【０００４】
そこで、扉体を格納する扉体格納室の側壁に海側と貫通する導排水管を設け、この導排水管の高さ位置まで海水が上昇した段階から扉体格納室内に海水を導水し始めるように構成された、例えば防潮堤の開口部などに設置される浮体式フラップゲートが提案されている（例えば特許文献２）。
【０００５】
しかしながら、特許文献２で提案された浮体式フラップゲートのように、扉体格納室の側壁に海側と貫通する導排水管を設けた場合でも、水が導排水管を通って扉体格納室内に流れ込み扉体が起立動作を開始するまでには一定の時間を要する。そのため、流入初期の水の上昇速度が速い場合は、扉体が浮上し始める前に水が扉体の上部を越流し、防潮堤の後背地の生活空間側に流れ込むおそれが高くなる。
【先行技術文献】
【特許文献】
【０００６】
【特許文献１】特開２００１−２１４４２５号公報
【特許文献２】特開２００６−２５７８２９号公報
【発明の概要】
【発明が解決しようとする課題】
【０００７】
本発明が解決しようとする問題点は、流入初期の水の速度が速い場合、扉体の浮上動作が遅れて生活空間や地下空間へ越流する点である。
【課題を解決するための手段】
【０００８】
本発明は、流入初期の水の速度が速い場合でも生活空間や地下空間へ越流することがなく、また、越流を防止している間、扉体の浮上動作を補助することが可能な浮体式フラップゲートを提供することを目的としてなされたものである。
【０００９】
本発明の浮体式フラップゲートは、
開口部或いは出入口の路面に形成したピットに設置され、水が流入する際、前記開口部或いは前記出入口を遮断すべく、前記流入する水の方向に高さ方向の平面内で、基端側を支点として先端側が起立揺動する扉体と、
前記支点よりも前記流入する水の下流側の所要の位置に、前記扉体を越流した水を取り込む開口を有した排水溝と、を備えた浮体式フラップゲートであって、
前記排水溝は、
前記排水溝に取り込んだ水を前記ピットへ導水可能なように、前記ピットと通路により連通していると共に、
前記排水溝から水が逆流して後背地へ浸入するのを防止すべく、前記排水溝の開口を、該開口の近傍に設けた張出部の位置で密閉する止水蓋を備えたことを最も主要な特徴としている。
【００１０】
上記の本発明では、扉体が浮上動作を開始する前に扉体の上部を越流した水は、排水溝に取り込むことができる。
【００１１】
また、本発明では、排水溝の開口を、該開口の近傍に設けた張出部の位置で密閉する止水蓋を設けたことにより、扉体の先端側が浮上後、水が逆流し始めたときに前記止水蓋が逆止弁として作用するので、水が前記開口部から流出して後背地へ浸入するのを防止できる。
【発明の効果】
【００１２】
本発明では、扉体が浮上動作を開始する前に越流した水は排水溝に取り込むことができるので、流入初期の水の速度が速い場合でも生活空間や地下空間への流入を防止でき、防災設備としての信頼性が向上する。また、排水溝とピットが連通しているので、越流を防止している間に排水溝に取り込んだ水は、ピットに導水して、扉体の浮上動作を補助することができる。
【図面の簡単な説明】
【００１３】
【図１】本発明の浮体連結式フラップゲートを側面側から見た概略構成図で、（ａ）は全体図、（ｂ）は排水溝の拡大図である。
【図２】排水溝に止水蓋を設けた本発明の浮体連結式フラップゲートの前記止水蓋の作用を説明する側面方向から見た図で、（ａ）は排水溝に流れ込んだ越流水により止水蓋が浮上を開始する直前の図、（ｂ）は排水溝からピットに水が導水され先端側の扉体ブロックが浮上し始めた状態の図、（ｃ）はピットから排水溝の開口へ水が逆流し始めたときに、止水蓋の先端部が逆流する水の圧力と浮力によって一方の張出部と密着した状態の図である。
【発明を実施するための最良の形態】
【００１４】
本発明は、流入初期の水の速度が速い場合でも生活空間や地下空間への越流を防止し、また、越流を防止している間、扉体の浮上動作を補助するという目的を、扉体の基端側の支点よりも流入する水の下流側の所要の位置に、扉体を越流した水を取り込む排水溝を設けると共に、この排水溝内の水をピットへ導水可能なように、排水溝とピットを連通させることで実現した。
【実施例】
【００１５】
以下、本発明を実施するための形態を、図１〜図２を用いて詳細に説明する。
図１は、扉体上面が路面と同じ高さとなるように埋設して設置される本発明の浮体連結式フラップゲートを側面から見た概略図である。
【００１６】
図１（ａ）において、１は例えば防波堤の開口部の路面ｒｓ１と基体６の上面ｒｓ２の間に形成された凹面を有したピット２に設置された浮体連結式フラップゲートである。この浮体連結式フラップゲート１は、海洋（或いは河川）から防波堤の後背地に向けて水ｗが矢印の方向に流入した際、流入した水の水圧と扉体３の浮力を利用して、扉体３の基端側の回転部４ｂを支点として先端側４ｃを起立させて開口部を水密状態に遮断するものである。
【００１７】
この浮体連結式フラップゲート１を構成する扉体３は、高さ方向に、例えば鋼製の中空構造である２個の扉体ブロックに分割した構成となされている。以下、これら２個の扉体ブロックを、起立状態にある場合の上方から、先端側の扉体ブロック３ａ、基端側の扉体ブロック３ｂと言う。
【００１８】
そして、これら扉体ブロック３ａと３ｂの間、及び、基端側の扉体ブロック３ｂと基体６の上面ｒｓ２の間を、高さ方向の平面内で、海洋（或いは河川）から流れ込もうとする水の方向に向けて例えば所定角度の回転が自在な、先端側の回転部４ａ及び基端側の回転部４ｂで連結している。扉体ブロック３ａ，３ｂ間及び基端側の扉体ブロック３ｂと基体６の上面ｒｓ２の間は、水密ゴム（図示せず）によって水密状態となっている。また、扉体３の、防波堤の開口部に設けた戸当りと相対する側にも水密ゴム（図示せず）が設けられている。
【００１９】
また、本実施例では、先端側の扉体ブロック３ａは流入する水と反対方向にも所定角度だけ回転が可能なように回転部４ａを構成し、水の流入時に先行して浮上するようにしている。
【００２０】
図１に示す本発明の浮体連結式フラップゲート１は、基端側の回転部４ｂよりも流入する水の下流側に、まず回転部４ｂが連結される基体６を設け、次いで基体６に隣接させて扉体３を越流する水を取り込む開口５ａを有した排水溝５を設けたものである。排水溝５の、流入する水と交差する方向の幅は、防波堤の開口部の幅と同じ長さとしている。
【００２１】
そして、排水溝５内に流れ込んだ水を、扉体３の倒伏状態における底面とピット２の底面の間へ導水可能なように、排水溝５とピット２は、これらを隔てる基体６に設けた通路６ａによって、排水溝５の底面とピット２の底面が同一の平面で連続した状態となるように連通している。このような構成とすれば、排水溝５内に流れ込んだ水は、扉体３の倒伏状態における底面とピット２の底面の間へ速やかに導水できるので、扉体３の浮上開始時間を短縮できる。
【００２２】
排水溝５の開口５ａは、内部に越流水を流入可能で、かつ、開口５ａの上部を人や車両が安全に通行できるように、グレーチング７で覆われた状態としている。グレーチング７は、図１（ｂ）に示すように、開口５ａの近傍に設けた張出部５ｂ，５ｃの上に載置している。なお、路面ｒｓ１、扉体３の上面、基体６の上面ｒｓ２、グレーチング７の上面、路面ｒｓ３はすべて高さを揃え、車両等の通行に支障をきたさないようにしている。
【００２３】
８はフロートを有し、基端側の回転部８ａを一方の張出部５ｂに回動可能に取り付けたフラップ式の止水蓋である。止水蓋８は、スイング式の逆止弁であり、開口５ａからの越流水の流入は許容するが、ピット２から開口５ａの方向に水が逆流し始めたときは先端部８ｂが他方の張出部５ｃ側に密着して、開口５ａから水が流出するのを防止する。以下、図２を参照して、この止水蓋８の作用について説明する。
【００２４】
図２（ａ）に示すように、流入初期に扉体３を越流した水ｗは、排水溝５の開口部５ａを覆うグレーチング７を通過して排水溝５の内部に流れ込む。このとき、止水蓋８は流れ込む水の圧力によって先端部８ｂが下方に押し付けられた状態となっている。
【００２５】
その後、排水溝５の内部に流れ込んだ水ｗによって止水蓋８は浮上するので、排水溝５に流れ込んだ水は、前記のとおり排水溝５とピット２を連通する通路６ａから倒伏状態にある扉体３の底面とピット２の底面の間に導水される。つまり、本発明では、越流水は排水溝５から取り込まれて扉体３に浮力を生じさせ、扉体３の起立動作を補助する。
【００２６】
このとき、本実施例では、扉体３を高さ方向に分割された扉体ブロック３ａ，３ｂによって構成し、図２（ｂ）に示すように、先端側の扉体ブロック３ａが基端側の扉体ブロック３ｂよりも先行して浮上し始めるようにしている。従って、開口部から流入した水を倒伏状態の扉体３の下方に効果的に導くことができる。
【００２７】
そして、先端側の扉体ブロック３ａの先端部４ｃが浮上すると、越流は停止する一方、扉体３の底面側に水が流れ込むため、ピット２から排水溝５の開口５ａの方向に水が逆流し始める。
【００２８】
このとき、止水蓋８の先端部８ｂは、図２（ｃ）に示すように、逆流する水の圧力と止水蓋８自体の浮力によって他方の張出部５ｃに密着するので、張出部５ｂ，５ｃ間が止水蓋８によって密閉される。従って、扉体３が起立した後、水が開口５ａから流出して生活空間や地下空間へ浸入することを防止できる。
【００２９】
本発明は、前記の例に限るものではなく、各請求項に記載した技術的思想の範疇であれば、適宜実施の形態を変更しても良いことは言うまでもない。
【００３０】
例えば、本発明は、扉体が高さ方向に分割されておらず一体の浮体式フラップゲートにも適用できる。また、浮体連結式フラップゲート１に適用する場合、扉体３は２分割のものに限らず、例えば高さ方向に３分割した扉体ブロックが流入する水の水位に応じて基端側から順次起立するものであっても良い。
【００３１】
また、遮断する防波堤の開口部の幅が広い場合は、浮体連結式フラップゲート１を構成する扉体３を開口部の幅方向に連結し、各扉体３間は扉間水密ゴムによって連結された構成としても良い。この場合、排水溝５は、開口部の幅方向に並設された扉体３ごとに夫々設けるか、あるいは、各扉体３の幅方向全域に対し１つの排水溝５を設けても良い。
【００３２】
また、止水蓋８は、フロート（浮体）を有したものである必要はなく、逆流する水の圧力のみを利用して開口５ａを密閉するものでも良い。また、止水蓋８は、スイング式のものに限らず、例えばリフト式やウエハー式の逆止弁であっても良い。
【符号の説明】
【００３３】
１  浮体連結式フラップゲート
２  ピット
３  扉体
４ｂ  基端側の回転部（支点）
５  排水溝
５ａ  開口
８  止水蓋
【図１】
0005631818.tif 000002
【図２】
0005631818.tif 000003